(57)【特許請求の範囲】
【請求項１】
画像データに基づく医用画像と、その医用画像が配置されるべきフレームの数が異なる複数の印刷フォーマットとを含む画像選択画面を表示装置に表示させる画像選択画面表示手段と、
前記画像選択画面上で、前記複数の印刷フォーマットにはめ込む所要の医用画像を選択するための画像選択手段と、
前記画像選択手段によって選択された選択医用画像がそれぞれはめ込まれた前記複数の印刷フォーマットを含む印刷フォーマット選択画面を前記表示装置に表示させる印刷フォーマット選択画面表示手段と、
前記印刷フォーマット選択画面上で、前記選択医用画像がはめ込まれた前記複数の印刷フォーマットから、所要の印刷フォーマットを選択するための印刷フォーマット選択手段と、
前記印刷フォーマット選択手段によって選択された選択印刷フォーマットにて前記選択医用画像を印刷するための表示画面を作成する表示画面作成手段とを設けたことを特徴とする医用画像表示システム。
【請求項２】
前記印刷フォーマット選択画面表示手段は、前記複数の印刷フォーマットのうち、前記フレームの数より前記選択医用画像の数が多い印刷フォーマットについては、前記印刷フォーマット選択画面上に、前記フレームの数が同一の複数の印刷フォーマットをスタック表示することを特徴とする請求項１に記載の医用画像表示システム。
【請求項３】
前記複数の印刷フォーマットを記憶する記憶手段をさらに設け、前記画像選択画面表示手段は、前記記憶手段から前記複数の印刷フォーマットを取得することを特徴とする請求項１又は２に記載の医用画像表示システム。
【請求項４】
モダリティで取得した画像の画像データに対して種々の画像処理を施す画像処理手段をさらに設け、前記画像選択画面表示手段は、前記医用画像としての前記画像処理後の画像を含む前記画像選択画面を前記表示装置に表示させることを特徴とする請求項１乃至３のうちいずれか一項に記載の医用画像表示システム。
【請求項５】
前記画像選択手段及び前記印刷フォーマット選択手段に制御信号を入力して操作する操作手段をさらに設けたことを特徴とする請求項１乃至４のうちいずれか一項に記載の医用画像表示システム。
【請求項６】
前記画像選択手段は、前記画像選択画面上で前記複数の印刷フォーマットのうちの１つの印刷フォーマットのフレームに前記所要の医用画像をドラッグ及びドロップ操作することを可能とし、前記操作手段を介して前記画像選択画面上で前記１つの印刷フォーマットのフレームに前記所要の医用画像がドラッグ及びドロップ操作されることで、前記所要の医用画像を選択することを特徴とする請求項５に記載の医用画像表示システム。
【請求項７】
前記画像選択手段は、前記１つの印刷フォーマットのフレームに前記所要の医用画像を複製によって転写することで、前記所要の医用画像を選択することを特徴とする請求項６に記載の医用画像表示システム。
【請求項８】
前記印刷フォーマット選択手段は、前記印刷フォーマット選択画面上のクリックボタンであり、前記操作手段を介して択一的に前記クリックボタンが押されることで、前記複数の印刷フォーマットから、前記所要の印刷フォーマットを選択することを特徴とする請求項５に記載の医用画像表示システム。
【請求項９】
前記印刷画面のデータを出力できるプリンタ及びイメージャのうち少なくとも一方をさらに備えたことを特徴とする請求項１乃至８のうちいずれか一項に記載の医用画像表示システム。
【請求項１０】
画像データに基づく医用画像と、その医用画像が配置されるべきフレームの数が異なる複数の印刷フォーマットとを含む画像選択画面が表示される画像選択画面表示工程と、
前記画像選択画面上で、前記複数の印刷フォーマットにはめ込む前記所要の医用画像が選択される画像選択工程と、
前記画像選択手段によって選択された選択医用画像がそれぞれはめ込まれた前記複数の印刷フォーマットを含む印刷フォーマット選択画面が表示される印刷フォーマット選択画面表示工程と、
前記印刷フォーマット選択画面上で、前記選択医用画像がはめ込まれた前記複数の印刷フォーマットから、所要の印刷フォーマットが選択される印刷フォーマット選択工程と、
前記印刷フォーマット選択工程によって選択された選択印刷フォーマットにて前記選択医用画像を印刷するための表示画面が作成される表示画面作成工程とを有することを特徴とする医用画像表示方法。
【請求項１１】
前記印刷フォーマット選択画面表示工程では、前記複数の印刷フォーマットのうち、前記フレームの数より前記選択医用画像の数が多い印刷フォーマットについては、前記印刷フォーマット選択画面上に、前記フレームの数が同一の複数の印刷フォーマットがスタック表示されることを特徴とする請求項１０に記載の医用画像表示方法。
【請求項１２】
予め前記複数の印刷フォーマットが記憶される記憶工程をさらに有し、前記画像選択画面表示工程では、前記記憶工程によって記憶された前記複数の印刷フォーマットが取得されることを特徴とする請求項１０又は１１に記載の医用画像表示方法。
【請求項１３】
モダリティで取得した画像の画像データが画像処理される工程をさらに有し、前記画像選択画面表示工程では、前記医用画像としての前記画像処理後の画像を含む前記画像選択画面を前記表示装置に表示させることを特徴とする請求項１０乃至１２のうちいずれか一項に記載の医用画像表示方法。
【請求項１４】
前記画像選択工程では、前記画像選択画面上で前記複数の印刷フォーマットのうちの１つの印刷フォーマットのフレームに前記所要の医用画像がドラッグ及びドロップ操作されることによって、前記所要の医用画像が選択されることを特徴とする請求項１０乃至１３のうちいずれか一項に記載の医用画像表示方法。
【請求項１５】
前記画像選択工程では、前記１つの印刷フォーマットのフレームに前記所要の医用画像が複製によって転写されることによって、前記所要の医用画像が選択されることを特徴とする請求項１４に記載の医用画像表示方法。
【請求項１６】
前記印刷フォーマット選択工程では、前記印刷フォーマット選択画面上のクリックボタンが押されることで、前記複数の印刷フォーマットから、前記所要の印刷フォーマットが選択されることを特徴とする請求項１０乃至１５のうちいずれか一項に記載の医用画像表示方法。
【請求項１７】
前記印刷画面生成工程にて生成された印刷画面が、フィルム及び紙のうち少なくとも一方に印刷される工程をさらに有することを特徴とする請求項１０乃至１６のうちいずれか一項に記載の医用画像表示方法。
【発明の詳細な説明】
【技術分野】
【０００１】
本発明は、モダリティで取得した医用画像の画像データから、医用画像表示画面を作成する医用画像表示システム及びその表示方法に関するものである。
【背景技術】
【０００２】
Ｘ線装置やＣＴ（Computerized Tomography）装置等の医用画像診断装置では、検査して得られた画像をオペレータが観察し、必要な画像データをフィルムや紙に出力する。
【０００３】
オペレータは、まず、読み取った画像データの表示フォーマット（表示形式）を選択する。この表示フォーマットの選択は、撮影条件選択画面に表示フォーマットを選択する欄を設けたり、撮影条件選択画面から画像データ表示画面に移行する前に表示フォーマットを選択する画面を設けたりして行なわれている。
【０００４】
オペレータによって表示フォーマットが選択されると、予め記憶されている表示フォーマット（２分割、４分割、６分割等）の中から該当する表示フォーマットが選択され、選択された表示フォーマットに画像データがはめ込まれて表示画面が作成される。
【０００５】
そして、画像データがはめ込まれた表示画面が表示された後、オペレータは選択した表示フォーマットが適切か否かを判断する。表示フォーマットを変更する場合は、再度表示フォーマットが選択され、予め記憶されている表示フォーマットの中から該当する表示フォーマットが再度選択される。再度選択された表示フォーマットに画像データがはめ込まれ、表示画面が再度作成される（例えば、特許文献１参照）。
【０００６】
表示フォーマットが決定された場合は、その表示フォーマットにて描かれた画像がフィルムや紙に出力される。
【特許文献１】特開２００３−２２００５６号公報
【発明の開示】
【発明が解決しようとする課題】
【０００７】
しかしながら、選択された表示フォーマット、例えば４分割表示フォーマット、に画像データをはめ込む際、５枚以上の画像データをはめ込むことが必要な場合がある。その場合、４分割表示フォーマットにて画像データを選択している途中で４分割表示フォーマットが適切ではないと判断される。そして、表示フォーマットを４分割から、例えば６分割に変更して、６分割表示フォーマットにて再び初めから画像データを選択する必要があった。
【０００８】
これは、予め記憶される表示フォーマットから該当する表示フォーマットを選択し、その後、選択された表示フォーマットに画像データがはめ込まれることに起因する。画像データがはめ込まれた後、表示フォーマットが適正であるかが判断されるため、オペレータの操作性が悪く、作業効率を低下させていた。
【０００９】
本発明は、上述した事情を考慮してなされたもので、表示フォーマットの選択の操作性を向上させることができる医用画像表示システム及びその表示方法を提供することを目的とする。
【課題を解決するための手段】
【００１０】
本発明に係る医用画像表示システムは、上述した課題を解決するために、画像データに基づく医用画像と、その医用画像が配置されるべきフレームの数が異なる複数の印刷フォーマットとを含む画像選択画面を表示装置に表示させる画像選択画面表示手段と、前記画像選択画面上で、前記複数の印刷フォーマットにはめ込む所要の医用画像を選択するための画像選択手段と、前記画像選択手段によって選択された選択医用画像がそれぞれはめ込まれた前記複数の印刷フォーマットを含む印刷フォーマット選択画面を前記表示装置に表示させる印刷フォーマット選択画面表示手段と、前記印刷フォーマット選択画面上で、前記選択医用画像がはめ込まれた前記複数の印刷フォーマットから、所要の印刷フォーマットを選択するための印刷フォーマット選択手段と、前記印刷フォーマット選択手段によって選択された選択印刷フォーマットにて前記選択医用画像を印刷するための表示画面を作成する表示画面作成手段とを設けた。
【００１１】
本発明に係る医用画像表示方法は、上述した課題を解決するために、画像データに基づく医用画像と、その医用画像が配置されるべきフレームの数が異なる複数の印刷フォーマットとを含む画像選択画面が表示される画像選択画面表示工程と、前記画像選択画面上で、前記複数の印刷フォーマットにはめ込む前記所要の医用画像が選択される画像選択工程と、前記画像選択手段によって選択された選択医用画像がそれぞれはめ込まれた前記複数の印刷フォーマットを含む印刷フォーマット選択画面が表示される印刷フォーマット選択画面表示工程と、前記印刷フォーマット選択画面上で、前記選択医用画像がはめ込まれた前記複数の印刷フォーマットから、所要の印刷フォーマットが選択される印刷フォーマット選択工程と、前記印刷フォーマット選択工程によって選択された選択印刷フォーマットにて前記選択医用画像を印刷するための表示画面が作成される表示画面作成工程とを有する。
【発明の効果】
【００１２】
本発明に係る医用画像表示システム及びその表示方法によると、表示フォーマットの選択の操作性を向上させることができる。
【発明を実施するための最良の形態】
【００１３】
本発明に係る医用画像表示システム及びその表示方法の実施の形態について、添付図面を参照して説明する。
【００１４】
図１は、本発明に係る医用画像表示システムの実施の形態を示すブロック図である。
【００１５】
図１は、画像データを取得するためのモダリティ（医療機器）９と、このモダリティ９で取得した画像の画像データを用いて表示画面を作成する医用画像表示システム１０とを示し、この医用画像表示システム１０には、撮影部位情報や画像の表示設定等を行なうコンソール１１と、このコンソール１１にて作成した表示画面のデータを出力する出力手段１２、例えばプリンタ１２ａ及びイメージャ１２ｂのうち少なくとも一方、とが備えられる。
【００１６】
モダリティ９としては、Ｘ線ＣＴ（Computed Tomography）装置、ＭＲＩ（Magnetic Resonance Imaging）装置、ＣＲ（computed radiography）装置及び超音波画像診断装置等が挙げられる。
【００１７】
コンソール１１には、表示フォーマット（表示形式）を記憶する記憶手段としての表示フォーマット記憶部２１と、表示フォーマット記憶部２１にて記憶された表示フォーマットを模った表示フォーマット像を表示して初期表示画面を作成する初期表示画面作成手段２２とが設けられる。
【００１８】
表示フォーマットとしては、画像データがサムネイル形式で縮小表示される縮小表示フォーマット、複数画像が対等に表示される複数分割表示フォーマット等がある。複数分割表示フォーマットとしては、２枚の画像が対等に表示される２分割表示フォーマット、４枚の画像が対等に表示される４分割表示フォーマット、及び６枚の画像が対等に表示される６分割表示フォーマット等がある。以下、表示フォーマットとして、２分割表示フォーマット、４分割表示フォーマット及び６分割表示フォーマットを表示フォーマット記憶部２１に記憶させた場合について説明する。
【００１９】
さらに、コンソール１１には、モダリティ９で取得した画像の画像データに対して必要に応じて種々の画像処理、例えば補正処理、階調変換処理、トリミング、反転／回転、パラメータ変更及びマスキング等、を施す画像処理手段としての画像処理部２３と、初期表示画面２２から入力された初期表示画面上に、画像処理部２３から入力される画像を表示して画像・表示フォーマット選択画面を作成する画像・表示フォーマット選択画面作成手段２４と、医師及び技師等のオペレータによって操作することのできるキーボードやマウス等の操作手段２５と、この操作手段２５によって画像・表示フォーマット選択画面作成手段２４の画像・表示フォーマット選択画面上で所要画像を選択して表示フォーマット像の所要フレームにはめ込む画像選択手段２６と、操作手段２５によって画像・表示フォーマット選択画面上で所要の表示フォーマットを選択する表示フォーマット選択手段３１と、この表示フォーマット選択手段３１によって選択された所要の表示フォーマットにて所要画像を表示する表示画面を作成する表示画面作成手段３２とが設けられる。
【００２０】
図２は、画像・表示フォーマット選択画面作成手段２４にて作成する画像・表示フォーマット選択画面の一例である。
【００２１】
図２に示された画像・表示フォーマット選択画面には、画像データから得られる複数の画像、例えば９枚の画像（画像Ａ〜Ｉ）、と、２分割表示フォーマット、４分割表示フォーマット及び６分割表示フォーマットを模った表示フォーマット像とがそれぞれ表示される。例えば、画像データから得られる画像は、画像・表示フォーマット選択画面上にマトリクス状に複数表示される一方、表示フォーマット像は、画像・表示フォーマット選択画面上の右端部に表示フォーマット像毎に表示される。なお、図２に示された画像・表示フォーマット選択画面には、９枚の画像を示したが９枚の画像表示に限定されない。また、残りの画像は、スクロール及びページ切替え等によって切替え表示させることもできる。
【００２２】
図３乃至図５は、図２に示された画像・表示フォーマット選択画面の右端部に表示された表示フォーマット像の拡大図を示すものである。
【００２３】
表示フォーマット像のうち、図３は２枚の画像を対等に表示できる２分割表示フォーマットを示し、フレーム（１）及び（２）に画像をそれぞれはめ込むことができる。図４は４枚の画像を対等に表示できる４分割表示フォーマットを示し、フレーム（１）、（２）、（３）及び（４）に画像をそれぞれはめ込むことができる。また、図５は６枚の画像を対等に表示できる６分割表示フォーマットを示し、フレーム（１）、（２）、（３）、（４）、（５）及び（６）に画像をそれぞれはめ込むことができる。
【００２４】
さらに、図２に示された画像・表示フォーマット選択画面上には、２分割表示フォーマットにて表示画面を作成するための表示フォーマット選択手段３１、例えばクリックボタン３１ａと、４分割表示フォーマットにて表示画面を作成するための表示フォーマット選択手段３１、例えばクリックボタン３１ｂと、６分割表示フォーマットにて表示画面を作成するための表示フォーマット選択手段３１、例えばクリックボタン３１ｃとが設置される。
【００２５】
また、図１に示されたコンソール１１には、画像・表示フォーマット選択画面作成手段２４で作成される画像・表示フォーマット選択画面を表示する表示手段としてのモニタ３５が設けられる。なお、表示画面作成手段３２の表示画面を、出力プレビューとしてモニタ３５に表示するようにしてもよい。
【００２６】
なお、表示画面作成手段３２にて作成した表示画面のデータは、プリンタ１２ａやイメージャ１２ｂを介して出力することができるようになっている。
【００２７】
続いて、医用画像表示システム１０を用いた医用画像表示方法について、図６に示されたフローチャートを用いて説明する。
【００２８】
まず、医用画像表示システム１０のコンソール１１に設ける表示フォーマット記憶部２１に、予め表示フォーマットが記憶される（ステップＳ１）。表示フォーマットとしては、画像データがサムネイル形式で縮小表示される縮小表示フォーマット、複数画像が対等に表示される複数分割表示フォーマット等がある。
【００２９】
ステップＳ１にて表示フォーマット記憶部２１に記憶された表示フォーマットは初期表示画面作成手段２２に入力され、この初期表示画面作成手段２２にて、表示フォーマットを模った表示フォーマット像が表示された初期表示画面が作成される。初期表示画面のデータは画像・表示フォーマット選択画面作成手段２４に入力される。
【００３０】
一方、モダリティ９で取得した画像の画像データは、コンソール１１に設けた画像処理部２３にて、必要に応じて種々の画像処理、例えば補正処理、階調変換処理、トリミング、反転／回転、パラメータ変更及びマスキング等、が施される。モダリティ９で取得した画像データ又は画像処理が施された画像データは、画像・表示フォーマット選択画面作成手段２４に入力される。
【００３１】
画像・表示フォーマット選択画面作成手段２４では、初期画面作成手段２２から入力された初期表示画面上に、画像処理部２３から入力される画像が表示され、画像と表示フォーマット像とが表示される画像・表示フォーマット選択画面が作成される（ステップＳ２）。よって、画像・表示フォーマット選択画面上に画像と表示フォーマット像とが共に表示され、画像と表示フォーマット像とが同一画面上に表示されることになる。
【００３２】
画像・表示フォーマット選択画面作成手段２４にて作成された、画像・表示フォーマット選択画面のデータはモニタ３５に送られ、画像・表示フォーマット選択画面がモニタ３５に表示される（ステップＳ３）。
【００３３】
次いで、オペレータは、モニタ３５に表示された画像・表示フォーマット選択画面を見ながら、操作手段２５によって画像選択手段２６を操作し、画像・表示フォーマット選択画面作成手段２４の画像・表示フォーマット選択画面上で所要画像を選択する。そして、画像・表示フォーマット選択画面上の表示フォーマット像の所要フレームに所要画像がはめ込まれる（ステップＳ４）。
【００３４】
図２に示された画像・表示フォーマット選択画面上に画像選択手段２６、例えばドラッグ及びドロップ操作を可能とするオブジェクトである画像ファイル、を設置すると、ステップＳ４による所要画像のはめ込みは、画像・表示フォーマット選択画面上で画像Ｂをドラッグ及びドロップ操作することによって行なわれる。ドラッグ及びドロップ操作は、画面上で画像Ｂにポインタを合わせ、画像Ｂをドラッグして出力先である表示フォーマット像のフレーム（１）にドロップして行なわれる。ドラッグ及びドロップ操作が行なわれると、図３乃至図５に示すように、２分割表示フォーマット像、４分割表示フォーマット像及び６分割表示フォーマット像のフレーム（１）に画像Ｂがそれぞれはめ込まれる。次いで、画像Ｅも同様にドラッグ及びドロップ操作され、２分割表示フォーマット像、４分割表示フォーマット像及び６分割表示フォーマット像のフレーム（２）に画像Ｅがそれぞれはめ込まれる。
【００３５】
ここで、２分割表示フォーマット像のフレーム（１）に画像Ｂがドロップされると、２分割表示フォーマット像のフレーム（１）に画像Ｂがはめ込まれるのとほぼ同時に、４分割表示フォーマット像及び６分割表示フォーマット像のフレーム（１）にも画像Ｂがはめ込まれる。なお、所要画像がドロップされたときに起こる出力先のアクションは挿入とし、出力先に所要画像が移動又はコピーされる。
【００３６】
ドラッグ及びドロップ操作は、表示フォーマットのフレーム（１）から順番にはめ込む必要はなく、また、画像がはめ込まれているフレームの上に他の画像を重ねてはめ込むことができる。
【００３７】
また、オペレータによる操作手段２５の操作はマウスを用いたドラッグ及びドロップ操作に限定されず、例えば画像・表示フォーマット選択画面上でマウスを用いて画像Ｂをダブルクリック操作することで行われてもよい。その場合、１回目のダブルクリックで画像Ｂを２分割表示フォーマット、４分割表示フォーマット及び６分割表示フォーマットの全てのフレーム（１）にはめ込む。２回目以降のダブルクリックでフレーム（２）以降に所要画像を順次はめ込む。
【００３８】
次いで、ステップＳ４にて所要画像がはめ込まれた画像・表示フォーマット選択画面のデータは図１に示されたモニタ３５に送られ、モニタ３５に表示される（ステップＳ５）。
【００３９】
さらに、所要の表示フォーマットが選択されたか否かが判断される（ステップＳ６）。所要の表示フォーマットが選択されたか否かの判断は、オペレータが操作手段２５によって表示フォーマット選択手段３１、例えばクリックボタン３１ａ，３１ｂ，３１ｃ、をクリックすることで行なわれる。
【００４０】
ステップＳ６の判断にてＹｅｓ、すなわち、所要の表示フォーマットが選択されたと判断された場合、所要画像のはめ込みが終了されると共に、画像・表示フォーマット選択画面に有する複数の表示フォーマットのうち、所要画像がはめ込まれた所要の表示フォーマットが選択される。選択された所要の表示フォーマットのデータは、表示画面作成手段３２に送られる。
【００４１】
そして、表示画面作成手段３２では、所要の表示フォーマットにて所要画像が表示された表示画面が作成される（ステップＳ７）。例えば、図２に示された画像・表示フォーマット選択画面にてクリックボタン３１ａをクリックすることで２分割表示フォーマットが選択された場合、図３に示された２分割表示フォーマットにて画像Ｂ及びＥが表示された表示画面が作成される。
【００４２】
なお、ステップＳ７によって作成された表示画面は、出力プレビューとしてモニタ３５に表示されてもよい。
【００４３】
ステップＳ７にて作成された表示画面は出力手段１２、例えばプリンタ１２ａやイメージャ１２ｂを介して出力される（ステップＳ８）。
【００４４】
一方、ステップＳ６の判断にてＮｏ、すなわち、所要の表示フォーマットが選択されていないと判断された場合、操作手段２５によって画像選択手段２６が操作され、続けて、画像・表示フォーマット画面上で所要画像が選択される（ステップＳ４）。
【００４５】
なお、表示フォーマットのフレーム数より、はめ込まれる所要画像の枚数の方が多い場合がある。例えばステップＳ４〜Ｓ６を繰返して３枚の所要画像、例えば画像Ｂ，Ｅ及びＩを選択したとする。この場合、図２に示された画像・表示フォーマット選択画面上の右端部には、２つの２分割表示フォーマット像がスタック表示される。
【００４６】
図７は、図２に示された画像・表示フォーマット選択画面の右端部に表示された２つの２分割表示フォーマット像におけるスタック表示の拡大図である。
【００４７】
図７に示された２つの２分割表示フォーマット像におけるスタック表示では、マウス操作によりいずれかの２分割表示フォーマット像を任意に手前に表示することができる。
【００４８】
また、表示フォーマットのフレーム数より、はめ込まれる所要画像の枚数の方が多い場合、スタック表示された表示フォーマット像の表示画面に進むと、表示フォーマット像が並列に表示されるようにしてもよい。
【００４９】
医用画像表示システム１０及び医用画像表示方法によると、所要画像の全てが選択された後で所要の表示フォーマットが選択されることで、表示フォーマットの選択の操作性を向上させることができる。
【図面の簡単な説明】
【００５０】
【図１】本発明に係る医用画像表示システムの実施の形態を示すブロック図。
【図２】画像・表示フォーマット選択画面の一例。
【図３】図２に示された画像・表示フォーマット選択画面の右端部に表示された２分割表示フォーマット像の拡大図。
【図４】図２に示された画像・表示フォーマット選択画面の右端部に表示された４分割表示フォーマット像の拡大図。
【図５】図２に示された画像・表示フォーマット選択画面の右端部に表示された６分割表示フォーマット像の拡大図。
【図６】本発明に係る医用画像表示方法を示すフローチャート。
【図７】図２に示された画像・表示フォーマット選択画面の右端部に表示された２つの２分割表示フォーマット像におけるスタック表示の拡大図。
【符号の説明】
【００５１】
９  モダリティ
１０  医用画像表示システム
１２ａ  プリンタ
１２ｂ  イメージャ
２１  表示フォーマット記憶部
２２  初期表示画面作成手段
２３  画像処理部
２４  画像・表示フォーマット選択画面作成手段
２５  操作手段
２６  画像選択手段
３１  表示フォーマット選択手段
３２  表示画面作成手段
３５  モニタ
【図１】
0004575021.tif 000002
【図２】
0004575021.tif 000003
【図３】
0004575021.tif 000004
【図４】
0004575021.tif 000005
【図５】
0004575021.tif 000006
【図６】
0004575021.tif 000007
【図７】
0004575021.tif 000008